(57)【要約】【課題】大型化した画像表示装置等を備えた弾球遊技機において、その遊技領域面をより有効に活用することができる遊技板を備えた弾球遊技機を提供する。【解決手段】遊技領域面８を有した遊技板３と、遊技領域面に向けて遊技球を発射する発射装置２００と、発射装置から発射された遊技球を遊技領域面に誘導する遊技板に形成された誘導路３０１とを備え、誘導路は遊技板の表面側に設けられた表面側通路３１０と遊技板の表面側より背面側に設けられた背面側通路３２０により形成されると共に、誘導路の背面側通路の少なくとも一部は遊技領域面により覆われ、表面側通路と背面側通路との間を遊技球が通過可能とする連通部３３０を備える。【選択図】図３
2008132139.tif 000002
【特許請求の範囲】
【請求項１】
遊技球が流下可能な遊技領域面を有した遊技板と、
前記遊技領域面に向けて遊技球を発射する発射装置と、
前記発射装置から発射された遊技球を前記遊技領域面に誘導する前記遊技板に形成された誘導路とを備えた弾球遊技機において、
前記誘導路は前記遊技板の表面側に設けられた表面側通路と前記遊技板の表面側より背面側に設けられた背面側通路により形成されると共に、前記誘導路の前記背面側通路の少なくとも一部は前記遊技領域面により覆われ、
前記表面側通路と前記背面側通路との間を遊技球が通過可能とする連通部が形成されていることを特徴とする弾球遊技機。
【請求項２】
前記誘導路が、前記発射装置から発射された遊技球を、前記背面側通路を介して前記表面側通路から前記遊技領域面に誘導することを特徴とする請求項１に記載の弾球遊技機。
【請求項３】
前記表面側通路に前記発射装置から発射された遊技球を受け入れる遊技球入口部が形成されていると共に、前記背面側通路に遊技球を前記遊技領域に放出する遊技球出口部が形成されていることを特徴とする請求項１又は２に記載の弾球遊技機。
【請求項４】
前記背面側通路が、遊技球の直径以上の深さからなる背面側溝部を前記遊技板に形成すると共に、前記背面側溝部の内底面を覆う内底板面部を備えていることを特徴とする請求項１ないし３のいずれか１項に記載の弾球遊技機。
【請求項５】
前記表面側通路が、前記背面側溝部に設けられた前記内底板面部と同一平面を有した表面側溝部で形成されていることを特徴とする請求項１ないし４のいずれか１項に記載の弾球遊技機。
【請求項６】
前記表面側溝部の少なくとも一部は前記遊技領域面内に形成されていると共に、前記表面側溝部の下方の遊技領域面に遊技球を誘導する傾斜部が備えられていることを特徴とする請求項４又は５に記載の弾球遊技機。
【請求項７】
前記背面側通路から前記表面側通路へ遊技球を移行させる傾斜移行帯が前記連通部に備えられていることを特徴とする請求項１ないし６のいずれか１項に記載の弾球遊技機。
【発明の詳細な説明】
【技術分野】
【０００１】
本発明は、パチンコ遊技機等の弾球遊技機に関し、特に遊技領域面を有効に活用することができる弾球遊技機に関する。
【背景技術】
【０００２】
パチンコ遊技機等の弾球遊技機は、当否判定用の入球領域に遊技球が入球する等の判定条件の成立に起因して当たり外れが判定される。その判定結果が当たりである場合に「大当たり」と称される所定の当たり遊技（特別遊技状態）を適宜回数（所定回数のラウンド）に亘り実行している。そこで、遊技者は賞球を獲得することができる。
【０００３】
一般に、弾球遊技機において、遊技領域の中央部に画像表示装置を設け、判定図柄（特別図柄）を表示して遊技の当否判定結果を報知するほか、同判定図柄を用いたリーチ等の遊技上の演出も表示している。近年では、ＲＯＭ等の各種メモリーの集積度が増大したことにより、表示可能な画像のデータ量は飛躍的に増加し、同時にＣＰＵの演算性能も格段に向上した。そのため、複雑な表示データにより以前にも増して興趣ある画像の生成が可能となった。このような弾球遊技機において、複雑かつ精密な遊技画像を表示するため、ますます画像表示装置の表示領域は大型化している。
【０００４】
従来の弾球遊技機によると、遊技板の遊技領域上に薄板状金属枠を立設して、遊技球を誘導する通路を形成していた（例えば、特許文献１等参照）。ところが、遊技板上の遊技領域の大きさには制約がある。既に画像表示装置の大型化により遊技領域上の利用可能な領域は大幅に減少している。このため、遊技球の進路を変える遊技釘、風車等の役物、入賞口の設置が困難になりつつある。これでは、遊技領域を流下する遊技球の進路を考えて遊技球の弾発発射を調節するという弾球遊技機本来の楽しみ方を減殺しかねない。
【０００５】
もはや、特許文献１等に示すような既存の遊技板に用いられている誘導通路の構成により大型化した画像表示装置に対応することは限界に近づいている。そこで、画像表示装置の大型化に対応して遊技領域面をより有効に活用可能できる新たな方法が望まれている。
【特許文献１】特開２００５−１８５４０１号公報
【発明の開示】
【発明が解決しようとする課題】
【０００６】
本発明は、上記状況に鑑み提案されたものであり、画像表示装置等の大型化に対応すべく遊技領域面をより有効に活用することができる遊技板を備えた弾球遊技機を提供するものである。
【課題を解決するための手段】
【０００７】
すなわち、請求項１の発明は、遊技球が流下可能な遊技領域面を有した遊技板と、前記遊技領域面に向けて遊技球を発射する発射装置と、前記発射装置から発射された遊技球を前記遊技領域面に誘導する前記遊技板に形成された誘導路とを備えた弾球遊技機において、前記誘導路は前記遊技板の表面側に設けられた表面側通路と前記遊技板の表面側より背面側に設けられた背面側通路により形成されると共に、前記誘導路の前記背面側通路の少なくとも一部は前記遊技領域面により覆われ、前記表面側通路と前記背面側通路との間を遊技球が通過可能とする連通部が形成されていることを特徴とする弾球遊技機に係る。
【０００８】
請求項２の発明は、前記誘導路が、前記発射装置から発射された遊技球を、前記背面側通路を介して前記表面側通路から前記遊技領域面に誘導することを特徴とする請求項１に記載の弾球遊技機に係る。
【０００９】
請求項３の発明は、前記表面側通路に前記発射装置から発射された遊技球を受け入れる遊技球入口部が形成されていると共に、前記背面側通路に遊技球を前記遊技領域に放出する遊技球出口部が形成されていることを特徴とする請求項１又は２に記載の弾球遊技機に係る。
【００１０】
請求項４の発明は、前記背面側通路が、遊技球の直径以上の深さからなる背面側溝部を前記遊技板に形成すると共に、前記背面側溝部の内底面を覆う内底板面部を備えていることを特徴とする請求項１ないし３のいずれか１項に記載の弾球遊技機に係る。
【００１１】
請求項５の発明は、前記表面側通路が、前記背面側溝部に設けられた前記内底板面部と同一平面を有した表面側溝部で形成されていることを特徴とする請求項１ないし４のいずれか１項に記載の弾球遊技機に係る。
【００１２】
請求項６の発明は、前記表面側溝部の少なくとも一部は前記遊技領域面内に形成されていると共に、前記表面側溝部の下方の遊技領域面に遊技球を誘導する傾斜部が備えられていることを特徴とする請求項４又は５に記載の弾球遊技機に係る。
【００１３】
請求項７の発明は、前記背面側通路から前記表面側通路へ遊技球を移行させる傾斜移行帯が前記連通部に備えられていることを特徴とする請求項１ないし６のいずれか１項に記載の弾球遊技機に係る。
【発明の効果】
【００１４】
請求項１の発明に係る弾球遊技機によると、遊技球が流下可能な遊技領域面を有した遊技板と、前記遊技領域面に向けて遊技球を発射する発射装置と、前記発射装置から発射された遊技球を前記遊技領域面に誘導する前記遊技板に形成された誘導路とを備えた弾球遊技機において、前記誘導路は前記遊技板の表面側に設けられた表面側通路と前記遊技板の表面側より背面側に設けられた背面側通路により形成されると共に、前記誘導路の前記背面側通路の少なくとも一部は前記遊技領域面により覆われ、前記表面側通路と前記背面側通路との間を遊技球が通過可能とする連通部が形成されているため、遊技領域面をより有効に活用することができる遊技板を備えた弾球遊技機とすることができる。
【００１５】
請求項２の発明に係る弾球遊技機によると、請求項１の発明において、前記誘導路が、前記発射装置から発射された遊技球を、前記背面側通路を介して前記表面側通路から前記遊技領域面に誘導するため、背面側通路から表面側通路へ進行する遊技球が受ける抵抗を少なくすることができる。
【００１６】
請求項３の発明に係る弾球遊技機によると、請求項１又は２の発明において、前記表面側通路に前記発射装置から発射された遊技球を受け入れる遊技球入口部が形成されていると共に、前記背面側通路に遊技球を前記遊技領域に放出する遊技球出口部が形成されているため、連通部における背面側通路から表面側通路へ進行する遊技球が受ける抵抗を少なくすることができる。
【００１７】
請求項４の発明に係る弾球遊技機によると、請求項１ないし３のいずれか１項の発明において、前記背面側通路が、遊技球の直径以上の深さからなる背面側溝部を前記遊技板に形成すると共に、前記背面側溝部の内底面を覆う内底板面部を備えているため、背面側通路を容易に形成すると共に遊技板面の背面側の構造を簡素化できる。併せて、遊技板の背面側に取り付けられる他の部材の配置も容易となる。
【００１８】
請求項５の発明に係る弾球遊技機によると、請求項１ないし４のいずれか１項の発明において、前記表面側通路が、前記背面側溝部に設けられた前記内底板面部と同一平面を有した表面側溝部で形成されているため、背面側通路を経て表面側通路を進行する遊技球が受ける抵抗を極めて少なくすることができる。
【００１９】
請求項６の発明に係る弾球遊技機によると、請求項４又は５の発明において、前記表面側溝部の少なくとも一部は前記遊技領域面内に形成されていると共に、前記表面側溝部の下方の遊技領域面に遊技球を誘導する傾斜部が備えられているため、表面側通路に到達した遊技球は、表面側溝部から容易に遊技領域面へ転動、流下可能となる。
【００２０】
請求項７の発明に係る弾球遊技機によると、請求項１ないし４のいずれか１項の発明において、前記背面側通路から前記表面側通路へ遊技球を移行させる傾斜移行帯が前記連通部に備えられているため、遊技領域面のいっそうの有効活用が可能となる。加えて、遊技球を遊技領域面上部側の所望の場所に的確に弾発、誘導することができ、弾球遊技機の操作の興趣も高まる。
【発明を実施するための最良の形態】
【００２１】
以下添付の図面に基づきこの発明の好適な実施形態を説明する。
図１は第１実施例に係る弾球遊技機全体の正面図、図２は装飾枠の一部が開いた斜視図、図３は前面枠全体の正面図、図４は遊技板の正面図、図５は図４のＸ−Ｘ線における断面図、図６は図４のＹ−Ｙ線における断面図、図７は連通部付近の拡大斜視図、図８は遊技板の背面側の分解斜視図、図９は第２実施例に係る遊技板全体の斜視図、図１０は図９の傾斜移行帯付近の概略断面図、図１１は第３実施例に係る誘導路の背面側通路を示す断面図、図１２は第３実施例に係る誘導路の表面側通路を示す断面図、図１３は第４実施例の背面側通路の断面図である。
【００２２】
図１に示す弾球遊技機１（実施例ではパチンコ遊技機）においては、遊技板３の表側（遊技者側）に遊技球が流下する遊技領域面８が形成され、同遊技領域面８の中心線上にその上部から下部に向かって順に表示装置９、普通電動役物である始動入賞口１０、特別電動役物である大入賞口１５、アウト口１７が配設される。表示装置９の左側には普通図柄変動開始用ゲート１９、その下方に第１袖入賞口２３と第２袖入賞口２５、さらには大入賞口１５の両側に左落とし入賞口２７と右落とし入賞口２９が配設されている。前記の種々の入賞口に遊技球が入賞すると所定数の遊技球が賞球として払い出される。また、所定条件で判定結果が当たり（この実施例では大当たり）となると、所定の特別遊技状態となって大入賞口１５が開放され、遊技球が入賞しやすい状態となる。また、普通図柄変動開始用ゲート１９の検出信号により取得される普通図柄の当たり外れに関係する数値が所定値となった場合、始動入賞口１０が拡大開放状態となる。
【００２３】
遊技板３の前面側には払い出された遊技球を受けるための上側球受け皿３２、この上側球受け皿３２の飽和時に遊技球を受けるための下側球受け皿３４、遊技状態を報知するランプ表示器３５，３６、上部スピーカ３７、下部スピーカ３８、遊技操作部材（ジョグシャトル）３９、遊技者の発射操作に応じて遊技球を遊技領域面８に向けて弾発発射する発射装置２００（図３参照）がそれぞれ組み付けられている。発射装置２００から発射された遊技球は、遊技板３に形成された誘導路３０１を通過して遊技領域面８に誘導される。また、符号Ｅｃはスピーカボックス（エンクロージャー）であり前記の下部スピーカ３８を収容する。
【００２４】
表示装置９の画像表示装置４３は、液晶、ドットマトリックスもしくはＬＥＤ表示装置等の表示装置からなり、この実施例ではカラー表示可能な液晶表示器（ＴＦＴ−ＬＣＤモジュール）等からなる画像表示部（可変表示領域）５０を備えている。画像表示部５０は、数字、アルファベット、記号あるいは絵（キャラクタ）等の普通図柄または特別図柄を変動表示及び停止表示可能としている。また、画像表示部５０は、特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。
【００２５】
図２の斜視図は、弾球遊技機１において、機枠２及び前面枠４から、装飾枠５の中で特に上部装飾枠５ｇ（ガラス枠）が開いた状態を表す。ガラス板６００は固定部６０２により装飾枠５（上部装飾枠５ｇ）に固定されている。なお、下側球受け皿３４等は前面枠４に組み付けられている。装飾枠５は、支軸部２ｈ（その軸体）を中心として前面枠４上下の取付部４ｈ及び装飾枠５上下の取付部５ｈに組み付けられる。装飾枠５は、両取付部を回動可能に前面枠４に固定され、図１に示す固定状態（非回動状態）となる。機枠２及び前面枠４に形成された開口部分である遊技板開口部４０１に遊技板３が収容、配置される。符号５０１は取付枠である。
【００２６】
図３は弾球遊技機１より装飾枠５（下側球受け皿３４も含む。）を取り外して示す前面枠４の全体を示す。ハンドル部材２５０は、装飾枠５や下側球受け皿３４と一体に曲面を形成するハンドルカバー２５５から突出して配置される。ハンドルカバー２５５及び下側球受け皿３４の背後側には、発射装置２００が備えられている。発射装置２００には、打球槌２０１を揺動させる発射モータ２０３が備えられる。さらに、遊技者がハンドル部材２５０を握持して回動させた際の回動量を伝達するばねやトルクアーム等の各種機構も備えられる（図示せず）。打球槌２０１により弾発された遊技球は発射レール２０２上を直進して、誘導路３０１内に突入する。
【００２７】
また、図３は前面枠４に遊技板３が取り付けられた状態である。この遊技板３には遊技領域面８を区画するための板金製の遊技領域枠３０２が立設されている。従来の弾球遊技機の遊技板にあっては、板金製の外側誘導レール及び内側誘導レールが立設される。この両誘導レールの代わりに、実施例の弾球遊技機の遊技板３では、発射装置２００の発射レール２０２から発射された遊技球を遊技領域面８上に誘導する誘導路３０１が形成されている。誘導路３０１は、遊技板３の表面側、つまり遊技領域面８側に設けられた表面側通路３１０と、遊技板３の裏面側、つまり遊技領域面８よりも背面側に設けられた背面側通路３２０より形成される。当該背面側通路３２０の少なくとも一部（実施例ではほぼ全体）は遊技領域面８より覆われている。実施例の誘導路３０１によると、背面側通路３２０分だけ遊技領域面８が拡張されることとなる（図５参照）。
【００２８】
表面側通路３１０と背面側通路３２０との間には連通部３３０が設けられ、当該連通部３３０を通過することにより、遊技球は背面側通路３２０を介して表面側通路３１０に通り抜けることができる。つまり、背面側通路３２０から表面側通路３１０へ遊技球は抵抗を受けずに通過できる。その後、遊技球は表面側通路３１０から遊技領域面８に誘導され、同遊技領域面８を流下する。符号３０５は球戻り防止片である。
【００２９】
図４の遊技板の正面図を用い、さらに誘導路３０１の構造を説明する。遊技板３に形成された背面側通路３２０は、その少なくとも一部、実施例ではほぼ全体が遊技領域面８により覆われた背面側溝部３２１として構成されている。図５に示した図４のＸ−Ｘ線の断面図からも把握できるように、背面側溝部３２１には、遊技板３の背面側、すなわち遊技領域面８から逆側の表板部材３０Ｆの面に遊技球Ｐの直径以上の深さに形成された凹溝３０Ｇが備えられる。実施例によると、遊技球の直径は１１ｍｍであり、凹溝はその１．５倍の深さである。背面側溝部３２１には遊技板３、つまり表板部材３０Ｆの背面側から、背面側溝部３２１の凹溝３０Ｇを塞ぎ、背面側溝部３２１の内底面３２２を覆う内底板面部３０Ｂ（内底板部材）が接合される。背面側溝部３２１は、表板部材３０Ｆの凹溝３０Ｇと内底板部材３０Ｂにより囲まれることにより、遊技球の通路として機能する。図中、符号３２３は背面側溝部側壁、３２４は背面側溝部外壁である。
【００３０】
遊技板３において、背面側溝部３２１の手前側（遊技領域面８側）に位置する遊技板被覆部３０Ｗは、遊技釘Ｋ等を固定、立設可能とする厚さＴに形成される。このため、背面側溝部３２１の付近にまで遊技領域面８を拡張することができる。とりわけ、大型化した表示装置を遊技領域面に備える弾球遊技機にあっては、遊技領域面に残された領域は少ない。その中で遊技釘、入賞口、入賞ゲート、あるいは風車等を設置することは極めて難しい。これに対して、実施例の弾球遊技機のように遊技釘等を設置できる遊技領域面８を背面側溝部３２１の直上（背面側溝部３２１から遊技領域面８への向き）にまで拡張できるため、遊技領域面８の有効活用が実現し、遊技釘等の設置が可能となる。つまり、遊技球の流下経路は複雑化し、面白みも増す。
【００３１】
図４に示すように、遊技球は背面側通路３２０（背面側溝部３２１）から連通部３３０を介して表面側通路３１０に到達する。表面側通路３１０は、その少なくとも一部、実施例ではほぼ全体が遊技領域面８に開口する遊技球の直径よりも十分に幅広の表面側溝部３１１として構成されている。表面側溝部３１１の少なくとも一部、実施例ではほぼ全体は遊技領域面８の上方に形成されている。
【００３２】
図６に示した図４のＹ−Ｙ線の断面図からも把握できるように、表面側溝部３１１には、表板部材３０Ｆを貫通する凹溝３０Ｈが形成される。実施例の凹溝は遊技球直径の１．５倍の幅である。表面側溝部３１１には遊技板３、つまり表板部材３０Ｆの背面側から、前記の内底板面部３０Ｂが接合され、表面側溝部３１１の凹溝３０Ｈの底面が塞がれる。表面側溝部３１１の凹溝３０Ｈの形状は遊技領域面８に開口した単純な断面視コ字状とせず、表面側溝部３１１の下方の遊技領域面８に遊技球Ｐを誘導する傾斜部３１９を備えた遊技領域面側に広がりのある開口である。符号３１４は傾斜部の反対側に位置する表面側溝部上壁である。
【００３３】
図７の部分拡大斜視図は連通部３３０付近の構造を示す。説明の便宜上、球戻り防止片３０５を省略して示す。連通部３３０は、表面側通路３１０に背面側通路３２０が接続される位置である。図示の位置関係から理解されるように、表面側通路３１０側には、前記の発射装置２００から発射された遊技球Ｐを受け入れる遊技球入口部３３１が形成される。同時に背面側通路３２０には、遊技球Ｐを遊技領域面８へ放出する遊技球出口部３３２が形成される。連通部３３０は、遊技球入口部３３１と遊技球出口部３３２を一体に含んで構成される。すなわち、連通部３３０における背面側通路３２０から表面側通路３２０へ進行する遊技球が受ける抵抗は少なくなる。
【００３４】
発射装置２００から弾発発射された遊技球は、背面側通路３２０、連通部３３０を順に通過する内に、運動エネルギーが減衰し、ある時点で誘導路３０１を進むことができなくなる。この場合、遊技球が表面側通路３１０を進行中であれば、速やかに遊技領域面８に導いて表面側溝部３１１の中に遊技球を留まらなくする必要がある。そこで、表面側溝部３１１の凹溝３０Ｈの遊技領域面寄り（下方向き側）となる壁面に遊技球Ｐを遊技領域面８に誘導する傾斜部３１９が備えられている（図６，７参照）。表面側通路に到達した遊技球は、自重（位置エネルギー）により表面側溝部の傾斜部から遊技領域面に転動し、そこから遊技領域面上を転動、流下する。傾斜部の傾斜角度は、遊技球の転動を補助可能である限り、遊技板の形状等を考慮した適宜の角度となる。
【００３５】
図８の分解斜視図からも容易に把握されるとおり、誘導路３０１を構成する表面側通路３１０の表面側溝部３１１及び背面側通路３２０の背面側溝部３２１は、共に表板部材３０Ｆを遊技領域面８からその背後にかけて貫通して形成されている。既に図３にて開示の発射装置２００の打球槌２０１により弾発され発射レール２０２上を直進してきた遊技球は、入球開口部３０３から誘導路３０１内へ突入する。表面側溝部３１１及び背面側溝部３２１の両溝部は連続した略円弧形状を成しているため、遊技球の慣性の抵抗とならず、容易に表面側通路３１０まで到達しやすくしている。なお、背面側通路３２０から表面側通路３１０に切り替わる連通部３３０付近には、金属の薄板からなる球戻り防止片３０５が備えられ、いったん、連通部３３０を通過して表面側通路３１０に進んだ遊技球が再び背面側通路３２０に戻ることが防止される。
【００３６】
内底板面部３０Ｂは表面側溝部３１１及び背面側溝部３２１の連続した略円弧形状に対応した略円弧状の板体である。表面側溝部３１１及び背面側溝部３２１の両溝部の底面は、内底板面部３０Ｂから形成された内底面３２２（図５，６参照）を共通とする同一平面である。内底板面部３０Ｂは入球開口部に加え、表面側溝部、背面側溝部の底面をほぼ確保できる大きさとするため、遊技板自体の重量増加を抑えることができる。また、内底板面部３０Ｂの材質、厚さ等は、強度確保の観点から適切に選択される。このように、内底板面部を用いることによって、遊技球の進行の抵抗は極めて少なくなる。加えて、表面側通路及び背面側通路を容易に形成すると共に遊技板面の背面側の構造も簡素化できる。さらに、遊技板面の背面側に取り付けられる他の部材の配置も容易となる。
【００３７】
次に、図９の斜視図、図１０の断面模式図を用い、第２実施例の遊技板３Ｕに設けられた誘導路３０１Ｕの構造を説明する。遊技板３Ｕにあっては、誘導路３０１Ｕを成す表面側通路３１０Ｕ（表面側溝部３１１Ｕ）の全長を抑えると共に、表面側溝部の溝の深さを緩やかに減少させながら、最終的に遊技領域面８と同化（同一面化）させている。このように表面側溝部３１１の溝の深さを調整することにより、背面側通路３２０（背面側溝部３２１）から表面側通路３１０Ｕ（表面側溝部３１１Ｕ）へ遊技球を移行させる傾斜移行帯３５０が連通部３３０に備えられる。
【００３８】
背面側通路３２０、連通部３３０、球戻り防止片３０５を順に通過する内に、弾発発射された遊技球Ｐの運動エネルギーはしだいに減衰するものの、傾斜移行帯３５０の傾斜自体は緩やかであるため、遊技球の遠心力等の作用により容易に同傾斜移行帯３５０を昇ることができる。傾斜移行帯３５０は、板金、樹脂、木材等のいずれから形成してもよく、またその大きさ、傾斜角度は遊技球通過の勢いを妨げない限り適宜である。図中、符号３５５は遊技球移行面である。
【００３９】
第２実施例の遊技板３Ｕに設けられた誘導路３０１Ｕの構造によると、表面側通路３１０Ｕは最終的に遊技領域面８と同化するため、遊技領域面８上部に生じる段差（表面側溝部３１１Ｕ）を少なくすることができ、遊技領域面８のいっそうの有効活用が可能となる。加えて、図９に示すように、傾斜移行帯３５０を経て表面側通路３１０Ｕが途切れた後（終了した後）においては、遊技球の流下方向に生ずる制約が少なくなる。このため、遊技者は前記の発射装置２００（ハンドル部材２５０）の操作により、遊技球を遊技領域面８上部側の所望の場所に的確に弾発、誘導することができ、弾球遊技機を操作する興趣が高まる。むろん、表面側通路３１０Ｕ（表面側溝部３１１Ｕ）の傾斜部３１９を利用して遊技球を遊技領域面８に誘導可能であることは言うまでもない。
【００４０】
図１１の断面図は第３実施例の遊技板３Ｖに設けられた誘導路３０１Ｖを表す。図示によると、既述の実施例に開示する背面側通路として、背面側溝部の代わりに背面側チューブ３６０が遊技板３Ｖの表板部材３０Ｆの背面側から設けられる。当該実施例の場合、背面側チューブ３６０が埋設されている箇所については、表板部材３０Ｆの背面側に裏打ちされる内底板面部は省略される。
【００４１】
第３実施例の表面側通路については、既述の第１実施例もしくは第２実施例と同様の構造としてもよい。あるいは図１２の断面図のように、背面側チューブ３６０の遊技領域面８側のみを切り取って開口部３４０を形成することもできる。遊技球は開口部３４０より傾斜部３１９を伝い遊技領域面８へ転動、流下する。
【００４２】
図１３の断面図は第４実施例の遊技板３Ｌを表す。前出の図５、図６の第１実施例として示した遊技板３によると、内底板面部は均一な板厚から構成され、所定の深さの背面側溝部、及び表面側溝部に接合されている。そこで、図１３の断面図に開示する第４実施例の遊技板面３Ｌのように、内底板面部３０Ｂ’の内底面自体に対して、強度確保の均衡を図りながら適度な凹溝部３２２Ｌを設けることも可能である。この場合、厚さＴ（図５参照）を変更することなく、表板部材３０Ｆ’の厚さを薄くすることができ、遊技板全体の軽量化が可能となる。符号３０Ｉは表板部材の凹溝である。なお、各図について、共通する符号は同一箇所を示す。
【００４３】
これまでに図示し、詳述した各実施例の形態に次の形態も加えることができる。実施例では、遊技領域面により背面側通路（背面側溝部）の大半が覆われている。これに代えて、図示しないが遊技領域面による背面側通路の覆いを断続的（部分的）とすることもできる。こうすると、弾発発射により背面側通路（背面側溝部）を上昇する遊技球を確認することができる。
【００４４】
本発明の構成については、パチンコ遊技機の実施例を用いて説明した。むろん、パチンコ遊技機のみの適用に限られることはなく、アレンジボール遊技機等の適宜の弾球遊技機に適用することができる。
【図面の簡単な説明】
【００４５】
【図１】第１実施例に係る弾球遊技機全体の正面図である。
【図２】装飾枠の一部が開いた斜視図である。
【図３】前面枠全体の正面図である。
【図４】遊技板の正面図である。
【図５】図４のＸ−Ｘ線における断面図である。
【図６】図４のＹ−Ｙ線における断面図である。
【図７】連通部付近の拡大斜視図である。
【図８】遊技板の背面側の分解斜視図である。
【図９】第２実施例に係る遊技板全体の斜視図である。
【図１０】図９の傾斜移行帯付近の概略断面図である。
【図１１】第３実施例に係る誘導路の背面側通路を示す断面図である。
【図１２】第３実施例に係る誘導路の表面側通路を示す断面図である。
【図１３】第４実施例の背面側通路の断面図である。
【符号の説明】
【００４６】
１  弾球遊技機
２  機枠
３，３Ｌ，３Ｕ，３Ｖ  遊技板
８  遊技領域面
９  表示装置
３０Ｂ  内底板面部
３０Ｆ  表板部材
３０Ｗ  遊技板被覆部
４３  画像表示装置
２００  発射装置
２５０  ハンドル部材
３０１，３０１Ｕ，３０１Ｖ  誘導路
３０５  球戻り防止片
３１０  表面側通路
３１１  表面側溝部
３１９  傾斜部
３２０  背面側通路
３２１  背面側溝部
３２２  内底面
３３０  連通部
３３１  遊技球入口部
３３２  遊技球出口部
３５０  傾斜移行帯
【図１】
2008132139.tif 000003
【図２】
2008132139.tif 000004
【図３】
2008132139.tif 000005
【図４】
2008132139.tif 000006
【図５】
2008132139.tif 000007
【図６】
2008132139.tif 000008
【図７】
2008132139.tif 000009
【図８】
2008132139.tif 000010
【図９】
2008132139.tif 000011
【図１０】
2008132139.tif 000012
【図１１】
2008132139.tif 000013
【図１２】
2008132139.tif 000014
【図１３】
2008132139.tif 000015